(57)【要約】      （修正有）【課題】波形手摺りでありながら、支障なく照明機能を追加できる、発光湾曲手摺りの取付構造を提供する。【解決手段】中央部に雌ねじ部２７ａが形成された内板２７が、下端部２から上向きに矩形溝条３内に挿入され、下側突条６上に端部が載置される。カバー７の下端部に当接する受皿３１と、受皿３１を貫通し先端部が内板２７の雌ねじ部２７ａに螺合されることにより、芯材１を受皿３１と結合するが、先端部が上側突条まで至らないビス３２と、取付位置において受皿３１を支持するアーム３０とを有し、矩形溝条３の天井面にはＬＥＤ２６を担持するテープ本体が貼り着けられる。【選択図】図５
2014070418.tif 000002
【特許請求の範囲】
【請求項１】
外周面が円状をなし、前記外周面からきざみを入れられることにより、所望の曲率となるように軸方向が折り曲げ可能に形成される金属製の芯材と、
加熱されることにより弛緩し、前記芯材に倣って前記外周面の外側に嵌め込まれる樹脂製のカバーと、
前記芯材内に装着される発光部と、
前記芯材を取付位置に固定する取付具とを備える発光湾曲手摺りの取付構造であって、
前記芯材には、下端部が下向きに開口し、前記軸方向に沿う矩形溝条が形成され、
前記矩形溝条の最上部は、水平な天井面となっており、かつ、前記矩形溝条には垂直で左右一対の左側面と右側面とが形成され、
前記左側面と前記右側面のうち、前記天井面に近い上部には、相対向する上側突条が突設されると共に、前記左側面と前記右側面のうち、前記下端部に近い下部には、相対向する下側突条が突設されており、
前記発光部は、裏面の粘着層が前記天井面に貼着されるテープ体と、前記テープ体の表面側に装着され、発光する複数のＬＥＤととを有し、
前記取付具は、
中央部に雌ねじ部が形成された内板であって、前記下端部から上向きに前記矩形溝条内に挿入され、かつ、前記下側突条上に端部が載置される内板と、
前記カバーの下端部に当接する受皿と、
前記受皿を貫通し先端部が前記内板の前記雌ねじ部に螺合されることにより、前記芯材を前記受皿と結合するが、前記先端部が前記上側突条まで至らない雄ねじ部と、
前記取付位置において前記受皿を支持するアームとを有することを特徴とする発光湾曲手摺りの取付構造。
【請求項２】
前記取付具から外れた位置において、前記下端部を封止する透明又は半透明の詰め物が前記矩形溝条に嵌め込まれる請求項１記載の発光湾曲手摺りの取付構造。
【発明の詳細な説明】
【技術分野】
【０００１】
本発明は、湾曲手摺りの取付構造の改良に関するものである。
【背景技術】
【０００２】
特許文献１（特開２００４−１５６４３７号公報）に開示されているように、軸方向が波形に湾曲する改良型の手摺りが実施されるに至っている。このものは、高齢者や体に障害がある方のように、例えば階段の上り下りに困難を伴う方々を補助する器具として活躍している。
【０００３】
一方、特許文献２（特開２０１０−７０９６２号公報）に開示されるように、夜間などにおいても、安全に通行ができるように配慮して、手摺りに照明機能を追加することも提案されている。しかしながら、このものに開示される技術事項は、手摺りの軸方向が直線であることを前提としており、上述したような波形の手摺りには採用できない。
【０００４】
さらに、結論を先に述べると、特許文献１の技術では、取付構造に起因して照明機能を追加することが事実上不可能となっており、波形の手摺りと照明付きの手摺りとの両方を満足することができない。以下その理由を説明する。
【０００５】
図７は、従来の波形手摺りの取付構造を示す断面図である。まずはじめに、この種の波形手摺りでは、設置する現場の事情あるいは要求等に応じて、芯材１の軸方向をさまざまな曲率で曲げ得ることが前提となる。
【０００６】
したがって、芯材１は主としてアルミニウムのように加工性に優れた金属材料で形成される。また、使用する方の便宜を考えると手摺りの外径は丸みを帯びている必要があり、殆どの場合断面形状は、円である。
【０００７】
したがって、芯材１の外周面１ａはほぼ円状をなしており、曲率を変更するために、外周面１ａから内向きにきざみが入れられ、芯材１自体が曲げられることになる。
【０００８】
芯材１を曲げた後、芯材１をむき出しにしてしまうと、硬くて手触りが悪い。よって、通常、芯材１の外側に樹脂製のカバー７が装着される。但し、芯材１がどのように曲げられるかは、予め知ることができないため、カバー７の内面形状は、ほぼ芯材１の外周面１ａの形状と一致しているが、カバー７を装着する前に、所望の道具を使用して、カバー７が加熱され、カバー７が弛緩し拡径した状態とした上で、芯材１の外側に装着される。
【０００９】
ここまでの点は、これでよいのであるが、次の取付構造に問題があるため、従来技術では上述の要請に対応できないのである。
【００１０】
例えば、垂直な壁の側部に波形手摺りを配置しなければならないとき、カバー７を装着した芯材１を壁に支持する取付具が必要となる。従来技術では、芯材１の軸方向に沿って、矩形溝条３が形成されている。
【００１１】
矩形溝条３の最上部は、水平な天井面４となっており、下端部２は下向きに開口している。また、天井面４から鉛直下方に左右一対の左側面１３と右側面１４とが形成される。
【００１２】
さらに、左側面１３と右側面１４との上部であり、天井面４よりやや下方の位置において、相対向するように突出する上側突条５が形成され、また、下端部２よりやや上方の位置には、相対向するように突出する下側突条６が形成される。
【００１３】
そして、芯材１及びカバー７を支持するブラケット８の先端部は、天井面４、上側突条５及び下側突条６のそれぞれに当接することにより、手摺りにもたれる方の荷重及び手摺り自体の自重を支える構造となっている。
【００１４】
また、芯材１とブラケット８の先端部とは、タッピングビス１２により一体化されている。なお、ブラケット８の基端部は、板部９となっており、例えばアンカー１０等を用いて、垂直な壁に固定される。
【００１５】
以上の構造において、ブラケット８の先端部を天井面４に当接させ、上記荷重などを受けるという考え方が前提となっている。したがって、心材１の内部において、発光部を収納するスペースを確保することができない。
【００１６】
よって、図７に示すような従来技術の考え方を採る限り、波形手摺りでありながら、照明機能を追加するということは不可能である。
【特許文献１】特開２００４−１５６４３７号公報
【特許文献２】特開２０１０−７０９６２号公報
【発明の開示】
【発明が解決しようとする課題】
【００１７】
そこで本発明は、波形手摺りでありながら、支障なく照明機能を追加できる、発光湾曲手摺りの取付構造を提供することを目的とする。
【課題を解決するための手段】
【００１８】
第１の発明に係る発光湾曲手摺りの取付構造は、外周面が円状をなし、外周面からきざみを入れられることにより、所望の曲率となるように軸方向が折り曲げ可能に形成される金属製の芯材と、加熱されることにより弛緩し、芯材に倣って外周面の外側に嵌め込まれる樹脂製のカバーと、芯材内に装着される発光部と、芯材を取付位置に固定する取付具とを備える発光湾曲手摺りの取付構造であって、芯材には、下端部が下向きに開口し、軸方向に沿う矩形溝条が形成され、矩形溝条の最上部は、水平な天井面となっており、かつ、矩形溝条には垂直で左右一対の左側面と右側面とが形成され、左側面と右側面のうち、天井面に近い上部には、相対向する上側突条が突設されると共に、左側面と右側面のうち、下端部に近い下部には、相対向する下側突条が突設されており、発光部は、裏面の粘着層が天井面に貼着されるテープ体と、テープ体の表面側に装着され、発光する複数のＬＥＤととを有し、取付具は、中央部に雌ねじ部が形成された内板であって、下端部から上向きに矩形溝条内に挿入され、かつ、下側突条上に端部が載置される内板と、カバーの下端部に当接する受皿と、受皿を貫通し先端部が内板の雌ねじ部に螺合されることにより、芯材を受皿と結合するが、先端部が上側突条まで至らない雄ねじ部と、取付位置において受皿を支持するアームとを有する。
【００１９】
この構成において、芯材にきざみを入れることにより、芯材の軸方向を所望の曲率となるように折り曲げることができ、芯材の外側にカバーを嵌め込んで波形手摺りとすることができる。
【００２０】
また、内板が下側突条上にあり、受皿とともに芯材を挟み込む構造となっており、雄ねじ部が内板の雌ねじ部に螺合されることにより、内板と受皿とが連結される。
【００２１】
したがって、矩形溝条の天井面に取付具を当接させることなく、アームによって波形手摺りを支持することができる。
【００２２】
その結果、天井面付近において空間を確保でき、その空間を利用して、天井面に複数のＬＥＤを担持するテープ体の粘着面を貼着することができる。そして、これらのＬＥＤに電力を供給すれば、ＬＥＤを発光させることができ、波形手摺りに照明機能を追加することができる。
【００２３】
しかも、これらのＬＥＤは、下向きに光を照射することになるから、周囲が暗い状況において、見づらくなりやすい足下を明るく照らし、安全な通行を確保できる。
【００２４】
第２の発明に係る発光湾曲手摺りの取付構造では、第１の発明に加え、取付具から外れた位置において、下端部を封止する透明又は半透明の詰め物が矩形溝条に嵌め込まれる。
【００２５】
この構成により、ＬＥＤが照射する光が、詰め物を透過できるだけでなく、詰め物を透過する際に散乱することになるから、足下を全体的に明るく照らし、より安全な通行を確保できる。
【００２６】
しかも、詰め物を嵌め込むことにより、矩形溝条は封鎖されるので、誤って指や手が矩形溝条に触れるおそれがほとんどなく、指や手の怪我を防止できる。
【発明の効果】
【００２７】
本発明によれば、芯材の軸方向を所望の曲率となるように折り曲げて波形手摺りとすることができるだけでなく、矩形溝条の天井面に取付具を当接させずに、波形手摺りを支持することができるから、天井面に複数のＬＥＤを担持するテープ体の粘着面を貼着して、ＬＥＤを発光させ得る。
【００２８】
その結果、波形手摺りに支障なく照明機能を追加できる。
【発明を実施するための最良の形態】
【００２９】
次に、図面を参照しながら、本発明の実施の形態を説明する。
【００３０】
図１は、本発明の一実施の形態における発光湾曲手摺りの設置状態を示す概略図、図２は、図１の一部拡大図である。
【００３１】
図１、図２に示すように、発光湾曲手摺りは、階段２０に沿った壁２３等に取り付けられ、波形に湾曲する手摺り本体２１と、手摺り本体２１を壁２３に固定する複数の取付具２２とを備える。
【００３２】
発光湾曲手摺りは、図１、図２のような壁の他、トイレ、風呂場、病院の通路、階段等に好適に設置される。しかし、このような記述は、本発光湾曲手摺りの用途を限定するものではない。
【００３３】
図３（ａ）〜（ｃ）は、本発明の一実施の形態におけるカバーの取付手順を示す例示図である。
【００３４】
図３（ａ）に示すように、芯材１は、アルミニウム等加工性に優れた金属あるいは合金よりなり、外周面１ａが円状をなす。
【００３５】
カッター等を用いて外周面１ａからきざみ（曲がる箇所の内側に入れると好適である。）を入れることにより、所望の曲率となるように軸方向を折り曲げることができる。
【００３６】
なお、図示した例では、軽量化や曲げやすさを考慮して、外周面１ａの側部は、矩形状をなすように内向きに削られているが、これは必須ではなく、全体として円状をなせば十分である。
【００３７】
芯材１の中心部には、下端部２が下向きに開口し、軸方向に沿う矩形溝条３が形成されている。矩形溝条３の最上部は、水平な天井面４となっており、天井面４には、後述するように、発光部を構成するテープ体２５の裏面にある粘着層２５ａが貼着される。
【００３８】
また、矩形溝条３には、垂直で左右一対の左側面１３と右側面１４とが形成される。左側面１３と右側面１４のうち、天井面４に近い上部には、相対向する上側突条５が突設されると共に、左側面１３と右側面１４のうち、下端部２に近い下部には、相対向する下側突条６が突設される。
【００３９】
次に、図３（ｂ）に示すように、樹脂製のカバー７を芯材１の外周面１ａの外側に嵌め込むのであるが、嵌め込む前に、図３（ｃ）に示すように加熱器２４（例えば、ガスバーナー、業務用ドライヤーあるいは熱湯等）を用いて、カバー７を加熱し、カバー７を弛緩させる。
【００４０】
その結果、カバー７はやや拡径し、容易に芯材１の外周面１ａに嵌め込むことができる。なお、その後カバー７が室温により冷えると、カバー７は、収縮して芯材１に強固に密着し、芯材１と一体化する。
【００４１】
図４（ａ）〜（ｃ）は、本発明の一実施の形態における発光部の取付手順を示す例示図である。まず、図４（ａ）に示すように、テープ体２５の剥離紙（図示せず。）を剥がし、裏面にある粘着層２５ａを露呈させる。
【００４２】
そして、矩形溝条３の下端部２からテープ体２５を粘着層２５ａが上向きになる姿勢で挿入し、粘着層２５ａを天井面４に貼り着ける。テープ体２５としては、市販のものを使用して差し支えなく、複数のＬＥＤ２６がほぼ同ピッチで複数配置されるものを用いると良い。
【００４３】
なお、図示を省略したが、ＬＥＤ２６を発光させるには、ＬＥＤ２６に電力を供給する回路を接続する。勿論、テープ体２５には、この回路とＬＥＤ２６とを電気的に接続する回路パターンが形成されている。
【００４４】
次に、図４（ｂ）に示すように、内板２７を下端部２から矩形溝条３内へ入れる。内板２５の中央部には、厚さ方向に貫通する雌ねじ部２７が形成されおり、底面側の両縁部には、粘着テープ２７ｂが貼り着けてある。
【００４５】
そして、図４（ｃ）に示すように、矩形溝条３内で内板２７の姿勢を整え、粘着テープ２７ｂを下側突条６の上面に貼り着ける。これにより、下側突条６上の内板２７は容易に移動しないようになる。
【００４６】
図５（ａ）〜（ｂ）は、本発明の一実施の形態における取付具への取付手順を示す例示図である。図１、図２に示したように、手摺り本体２１を支持する取付具２２を壁２３の所定位置に次の要領で固定する。
【００４７】
即ち、図５（ａ）に示すように、壁２３にアンカー２９を打ち込んで、アーム３０の基端部に位置するフランジ部２８を、壁２３に固定する。一方、アーム３０の先端部は、垂直に立ち上がり、その頂部には、上向きに開く円弧状をなす受皿３１が固定されている。
【００４８】
また、受皿３１の中央部には、貫通孔３１が開けられている。内板２７を取り付けた後の手摺り本体２１を受皿３１に載せ、内板２７の雌ねじ部２７ａと貫通孔３１ａとを位置あわせする。
【００４９】
そして、図５（ｂ）に示すように、ビス３２を貫通孔３１ａを通過させて、上向きにねじ込み、ビス３２の先端部を内板２７の雌ねじ部２７ａに螺合する。内板２５は、上述したように下側突条６に接着されているので、ビス３２をねじ込んでも内板２５が逃げないようになっている。
【００５０】
ビス３２をねじ込んでも、ビス３２の長さを適切に設定すれば、ビス３２の先端部は、ＬＥＤ２６よりも低い位置にあり、ＬＥＤ２６に接触しないようにすることができる。
【００５１】
このように、本形態によれば、従来技術で封鎖されていた芯材１内の空間をＬＥＤ２６及びそれを担持するテープ体２５を収納する空間として活用できる点が理解されよう。
【００５２】
しかも、内板２７、受皿３１及びそれらを連結するビス３２により、手摺り本体２１を十分な強度で取付具２２に固定することができる。
【００５３】
これにより、波形手摺りに照明機能を支障なく追加することができる。
【００５４】
図６（ａ）〜（ｂ）は、本発明の一実施の形態における詰め物の取付手順を示す例示図である。以上の点に追加して、次のように透明又は半透明の樹脂製の詰め物により、矩形溝条３の下端部２を封鎖することが望ましい。
【００５５】
なぜなら、そのようにすると、手摺り本体２１を把持する人の指や手が矩形溝条に触れるおそれがなく、指や手の怪我を予防できるし、また、ＬＥＤ２６の光が詰め物を透過する際に散乱し指向性をやわらげ、足下を全体的に明るく照らせるからである。
【００５６】
本形態の詰め物３３は、軸方向の断面形状が一定のものを使用してある。また、ほぼ下端部２と同幅に形成されると共に、下側突条６に対応する位置に、係合溝３３ａが形成されている。
【００５７】
したがって、図６（ａ）の状態から図６（ｂ）の状態になるように、詰め物３３を嵌め込むと良い。
【図面の簡単な説明】
【００５８】
【図１】本発明の一実施の形態における発光湾曲手摺りの設置状態を示す概略図
【図２】図１の拡大図
【図３】（ａ）本発明の一実施の形態におけるカバーの取付手順を示す例示図  （ｂ）本発明の一実施の形態におけるカバーの取付手順を示す例示図  （ｃ）本発明の一実施の形態におけるカバーの取付手順を示す例示図
【図４】（ａ）本発明の一実施の形態における発光部の取付手順を示す例示図  （ｂ）本発明の一実施の形態における発光部の取付手順を示す例示図  （ｃ）本発明の一実施の形態における内板の取付手順を示す例示図
【図５】（ａ）本発明の一実施の形態における取付具への取付手順を示す例示図  （ｂ）本発明の一実施の形態における取付具への取付手順を示す例示図
【図６】（ａ）本発明の一実施の形態における詰め物の取付手順を示す例示図  （ｂ）本発明の一実施の形態における詰め物の取付手順を示す例示図
【図７】従来の波形手摺りの取付構造を示す断面図
【符号の説明】
【００５９】
１  芯材
１ａ  外周面
２  下端部
３  矩形溝条
４  天井面
５  上側突条
６  下側突条
７  カバー
８  ブラケット
９  板部
１０  アンカー
１１  先端部
１２  タッピングビス
１３  左側面
１４  右側面
２０  階段
２１  手摺り本体
２２  取付具
２３  壁
２４  加熱器
２５  テープ体
２５ａ  粘着層
２６  ＬＥＤ
２７  内板
２７ａ  雌ねじ部
２８  フランジ部
２９  アンカー
３０  アーム
３１  受皿
３１ａ  貫通孔
３２  ビス
３３  詰め物
３３ａ  係合溝
【図１】
2014070418.tif 000003
【図２】
2014070418.tif 000004
【図３】
2014070418.tif 000005
【図４】
2014070418.tif 000006
【図５】
2014070418.tif 000007
【図６】
2014070418.tif 000008
【図７】
2014070418.tif 000009